(57)【要約】【課題】ワンセグ放送からフルセグ放送への切り替えが行われるとき、複雑な処理を行うことなく、フルセグ放送に対して遅延しているワンセグ放送の音声情報の欠落を補完できる「車載用デジタル放送受信装置および字幕表示制御方法」を提供する。【解決手段】ワンセグ放送からフルセグ放送への切り替えが行われた場合、字幕表示機能がオンに設定されているかオフに設定されているかによらず、字幕情報をディスプレイ２２に強制表示させるようにデータデコーダ部８を制御する字幕設定判定部１０ｃを備え、ワンセグ放送からフルセグ放送への切り替え時に音声情報に欠落が生じても、音声情報に対応する字幕情報が表示されるようにすることにより、音声情報の欠落を字幕情報の表示によって補完することができるようにする。【選択図】図１
2014003351.tif 000002
【特許請求の範囲】
【請求項１】
フルセグ放送とワンセグ放送とを適宜切り替える機能を備えた車載用デジタル放送受信装置であって、
上記ワンセグ放送から上記フルセグ放送への切り替えが行われたか否かを判定する切り替え判定部と、
上記切り替え判定部により上記ワンセグ放送から上記フルセグ放送への切り替えが行われたと判定された場合、字幕表示機能がオンに設定されているかオフに設定されているかによらず、字幕情報を表示させるように制御する字幕表示制御部とを備えたことを特徴とする車載用デジタル放送受信装置。
【請求項２】
放送中の番組が収録番組かライブ番組かの番組形態を判定する番組形態判定部を更に備え、
上記字幕表示制御部は、上記番組形態判定部により判定された番組形態に応じて、表示させる字幕情報を決定することを特徴とする請求項１に記載の車載用デジタル放送受信装置。
【請求項３】
上記字幕表示制御部は、上記番組形態判定部により番組形態が上記収録番組であると判定された場合、上記切り替えが行われる前に受信していた上記ワンセグ放送からの字幕情報を表示させることを特徴とする請求項２に記載の車載用デジタル放送受信装置。
【請求項４】
上記字幕表示制御部は、上記ワンセグ放送からの字幕情報を所定時間表示させるように制御することを特徴とする請求項３に記載の車載用デジタル放送受信装置。
【請求項５】
上記字幕表示機能がオンに設定されているかオフに設定されているかを判定する字幕設定判定部を更に備え、
上記字幕表示制御部は、上記番組形態判定部により番組形態が上記収録番組であると判定され、かつ、上記字幕設定判定部により上記字幕表示機能がオフに設定されていると判定された場合、上記切り替えが行われる前に受信していた上記ワンセグ放送からの字幕情報を、上記字幕表示機能がオンのときに字幕情報が表示される所定位置に表示させることを特徴とする請求項３に記載の車載用デジタル放送受信装置。
【請求項６】
上記字幕表示制御部は、上記番組形態判定部により番組形態が上記収録番組であると判定され、かつ、上記字幕設定判定部により上記字幕表示機能がオンに設定されていると判定された場合、上記切り替えの後に受信した上記フルセグ放送からの字幕情報を上記所定位置に表示させるとともに、上記切り替えが行われる前に受信していた上記ワンセグ放送からの字幕情報を上記所定位置と異なる位置に表示させることを特徴とする請求項５に記載の車載用デジタル放送受信装置。
【請求項７】
上記字幕表示制御部は、上記番組形態判定部により番組形態が上記ライブ放送であると判定された場合、上記切り替えの後に受信した上記フルセグ放送からの字幕情報を表示させることを特徴とする請求項２に記載の車載用デジタル放送受信装置。
【請求項８】
上記字幕表示制御部は、上記フルセグ放送からの字幕情報を所定時間表示させるように制御することを特徴とする請求項７に記載の車載用デジタル放送受信装置。
【請求項９】
フルセグ放送とワンセグ放送とを適宜切り替える機能を備えた車載用デジタル放送受信装置における字幕表示制御方法であって、
上記車載用デジタル放送受信装置の切り替え判定部が、上記ワンセグ放送から上記フルセグ放送への切り替えが行われたか否かを判定する第１のステップと、
上記切り替え判定部により上記ワンセグ放送から上記フルセグ放送への切り替えが行われたと判定された場合、上記車載用デジタル放送受信装置の字幕表示制御部が、字幕表示機能がオンに設定されているかオフに設定されているかによらず、字幕情報を表示させるように制御する第２のステップとを有することを特徴とする字幕表示制御方法。
【発明の詳細な説明】
【技術分野】
【０００１】
本発明は、車載用デジタル放送受信装置および字幕表示制御方法に関し、特に、車両の移動に伴いフルセグ放送とワンセグ放送とを適宜切り替える機能を備えた車載用デジタル放送受信装置に用いて好適なものである。
【背景技術】
【０００２】
日本の地上デジタル放送は、１つのチャンネルの周波数帯域幅が１３のセグメントに分かれた構造となっており、そのうち、ハイビジョン放送には１２セグメント、標準画質放送には４セグメントが割り当てられている。また、画面の小さい携帯電話や車載機などのモバイル端末用の放送には、画質より移動性を重視する観点から１セグメントだけが割り当てられている。
【０００３】
モバイル端末用の放送は、１セグメントを略して「ワンセグ放送」と呼ばれている。これに対し、１２セグメントの全てを利用して１番組を放送するハイビジョン放送や、１２セグメントを利用して最大３番組を放送する標準画質放送は「フルセグ放送」と呼ばれている。車両の現在位置に応じたチャンネルのデジタル放送を受信する際に、ワンセグ放送よりも画質の良いフルセグ放送をできるだけ受信できるようにすることが望まれている。
【０００４】
車載用デジタル放送受信装置では、ワンセグ放送とフルセグ放送とを電波の受信状況によって自動的に切り替える機能を搭載しているものが一般的である。すなわち、車載用デジタル放送受信装置では、電波の受信状況が良い場合には、ノイズに弱いが高品質であるフルセグ放送に切り替えられる。一方、電波の受信状況が悪い場合には、低品質であるがノイズに強いワンセグ放送に切り替えられる。
【０００５】
なお、ワンセグ放送とフルセグ放送との圧縮形式の違いから、ワンセグ放送はフルセグ放送に対して放送タイミングが数秒ほど遅延している。したがって、電波の受信状況に応じて、ワンセグ放送とフルセグ放送との切り替えが行われた場合には、数秒間にわたって同じ内容が繰り返し出力されたり、あるいは、数秒間分の内容が欠落したりする状態が生じ、ユーザに視聴上の違和感を生じさせてしまうという問題がある。
【０００６】
従来、このような問題を解決することを目的とした発明が提案されている（例えば、特許文献１，２参照）。特許文献１に記載の発明では、同一内容の映像を示す高解像度映像フレーム（フルセグ放送に相当）と低解像度映像フレーム（ワンセグ放送に相当）との表示タイミングの時間差を示すオフセット値に基づいて、表示タイミングの早い方のフレームを、当該オフセット値に対応する時間だけ遅延させて表示するようにしている。
【０００７】
また、特許文献２に記載の発明では、第１放送信号（ワンセグ放送に相当）が第２放送信号（フルセグ放送に相当）に対して遅延している遅延量を検出する。そして、第２放送信号から第１放送信号に切り替える際に、遅延量検出信号に基づいて、視聴上の違和感を与えない状態にて第２放送信号を遅延させることができるシーンを検出し、遅延シーン検出信号に基づき指示されたシーンにおいて、第２放送信号を遅延させた状態にて、第２放送信号から第１放送信号に切り替えるようにしている。
【先行技術文献】
【特許文献】
【０００８】
【特許文献１】特開２００７−４９４６０号公報
【特許文献２】特開２０１０−６２６３０号公報
【発明の概要】
【発明が解決しようとする課題】
【０００９】
上記特許文献１，２に記載の発明では、フルセグ放送からワンセグ放送に切り替える際に、フルセグ放送を遅延させることによって出力タイミングの同期をとるようにしている。しかしながら、そのためにフルセグ放送に対するワンセグ放送の遅延量を検出したり、視聴上の違和感を与えない状態にてフルセグ放送を遅延させることができるシーンを検出したり、フルセグ放送の出力タイミングを遅延させたりと、複雑な処理を行わなければならないという問題があった。
【００１０】
なお、ワンセグ放送からフルセグ放送への切り替えを行う場合、出力タイミングの同期をとっておかなければ、フルセグ放送の方がワンセグ放送より数秒出力タイミングが早いため、映像および音声に数秒間の欠落が生じてしまう。映像の欠落も音声の欠落もユーザに違和感を与えることに変わりはないが、音声の欠落は、違和感を超えて不都合をユーザに与えてしまうことがある。例えば、クイズ番組を視聴中にワンセグ放送からフルセグ放送への切り替えが行われると、「答えは」・・・「次の問題です。」といったように肝心部分の音声が失われてしまうことがあるといった不都合が生じる。
【００１１】
本発明は、このような問題を解決するために成されたものであり、ワンセグ放送からフルセグ放送への切り替えが行われるとき、複雑な処理を行うことなく、フルセグ放送に対して遅延しているワンセグ放送の音声情報の欠落を補完できるようにすることを目的とする。
【課題を解決するための手段】
【００１２】
上記した課題を解決するために、本発明では、ワンセグ放送からフルセグ放送への切り替えが行われた場合、字幕表示機能がオンに設定されているかオフに設定されているかによらず、字幕情報を表示させるようにしている。
【発明の効果】
【００１３】
上記のように構成した本発明によれば、ワンセグ放送からフルセグ放送への切り替えが行われた場合、フルセグ放送の方がワンセグ放送より出力タイミングが早いため、音声情報に欠落が生じる。しかし、音声情報が欠落しても、その代わりに字幕情報が表示されるので、音声情報の欠落を字幕情報の表示によって補完することができる。しかも、字幕情報の表示はもともと車載用デジタル放送受信装置に備えられた機能であるから、複雑な処理を追加して行う必要もない。
【図面の簡単な説明】
【００１４】
【図１】本実施形態による車載用デジタル放送受信装置の構成例を示す図である。
【図２】ワンセグ放送からフルセグ放送への切り替えが行われる際における字幕表示の動作例を模式的に示す図である。
【図３】放送中の番組が収録番組である場合における字幕表示の具体例を示す図である。
【図４】放送中の番組がライブ番組である場合における字幕表示の具体例を示す図である。
【図５】字幕情報の表示位置を説明するための図である。
【図６】本実施形態による車載用デジタル放送受信装置の動作例を示すフローチャートである。
【発明を実施するための形態】
【００１５】
以下、本発明の一実施形態を図面に基づいて説明する。図１は、本実施形態による車載用デジタル放送受信装置の構成例を示す図である。図１において、アンテナ１は、デジタル放送の電波を受信する。チューナ２は、アンテナ１によって受信したデジタル放送の電波から所望のチャンネルに合致した受信周波数の放送波信号を選択的に抽出して出力する。
【００１６】
ＯＦＤＭ復調部３は、チューナ２で受信した放送波信号をＯＦＤＭ（Orthogonal Frequency-Division Multiplexing）復調してトランスポートストリーム（Transport Stream：以下、ＴＳと記す）を得る。誤り訂正部４は、ＯＦＤＭ復調部３により復調されたＴＳに対して、伝送路で発生した誤りの訂正を実行する。
【００１７】
デマルチプレクサ部５は、多重化されているＴＳを分離して映像ストリーム、音声ストリームおよびデータストリームを得る。そして、デマルチプレクサ部５は、音声ストリームをオーディオデコーダ部６に出力し、映像ストリームをビデオデコーダ部７に出力し、データストリームをデータデコーダ部８に出力する。
【００１８】
ここで、データストリームには、音声ストリームに含まれる音声情報に対応して生成された字幕情報、受信チャンネルに関する情報、放送番組に関する情報、受信した信号の誤り率を表すＢＥＲ（Bit Error Rate）などが含まれている。受信チャンネルに関する情報には、受信中の放送がワンセグ放送かフルセグ放送かを示す階層情報が含まれている。また、放送番組に関する情報には、受信中の放送番組が収録番組かライブ番組かを示す番組形態情報が含まれている。
【００１９】
オーディオデコーダ部６は、入力した音声ストリームをデコードして音声信号としてスピーカ２１から出力する。ビデオデコーダ部７は、入力した映像ストリームをデコードして映像信号としてディスプレイ２２に出力する。データデコーダ部８は、入力したデータストリームをデコードして、受信チャンネルに関する情報、放送番組に関する情報、ＢＥＲなどを制御データとして制御部１０に出力するとともに、字幕情報をディスプレイ２２に出力する。
【００２０】
制御部１０は、車載用デジタル放送受信装置の全体の動作を制御する。すなわち、制御部１０は、チューナ２、ＯＦＤＭ復調部３、誤り訂正部４、デマルチプレクサ部５、オーディオデコーダ部６、ビデオデコーダ部７およびデータデコーダ部８の動作を制御する。
【００２１】
制御部１０は、その機能構成として、受信感度検出部１０ａ、チャンネル切替部１０ｂ、字幕設定判定部１０ｃ、字幕表示制御部１０ｄ、切り替え判定部１０ｅおよび番組形態判定部１０ｆを備えている。受信感度検出部１０ａは、例えばデータデコーダ部８から供給されるＢＥＲに基づいて、受信中の放送に関する受信感度を検出する。
【００２２】
チャンネル切替部１０ｂは、チューナ２における受信チャンネルや受信階層の切り替えを行う。例えば、チャンネル切替部１０ｂは、受信感度検出部１０ａにより検出される受信感度に応じて、フルセグ放送とワンセグ放送とを適宜切り替えて受信するようにチューナ２を制御する。具体的には、ＢＥＲの値が所定値より小さく受信感度が良好なときはフルセグ放送を受信し、ＢＥＲの値が所定値以上で受信感度が悪化したときはワンセグ放送を受信するように制御する。
【００２３】
字幕設定判定部１０ｃは、システムメモリ２０に格納されている設定情報に基づいて、字幕表示機能がオンに設定されているかオフに設定されているかを判定する。なお、字幕表示機能をオンにするかオフにするかは、ユーザが図示しない操作部を操作することによって任意に設定することが可能であり、設定された情報がシステムメモリ２０に格納されるようになっている。
【００２４】
字幕表示制御部１０ｄは、データストリームに含まれる字幕情報のディスプレイ２２への表示を制御する。原則として、字幕表示制御部１０ｄは、字幕設定判定部１０ｃにより字幕表示機能がオンに設定されていると判定された場合、字幕情報をディスプレイ２２に表示させるようにデータデコーダ部８を制御する。一方、字幕設定判定部１０ｃにより字幕表示機能がオフに設定されていると判定された場合、字幕表示制御部１０ｄは字幕情報をディスプレイ２２に表示させないようにデータデコーダ部８を制御する。
【００２５】
切り替え判定部１０ｅは、チャンネル切替部１０ｂによってワンセグ放送からフルセグ放送への切り替えが行われたか否かを判定する。この判定は、例えば、ワンセグ放送からフルセグ放送へ切り替えたことを示す切り替え通知をチャンネル切替部１０ｂから受けることによって行うことが可能である。または、データデコーダ部８から制御データとして供給される階層情報に基づいて、ワンセグ放送からフルセグ放送への切り替えが行われたか否かを判定するようにすることも可能である。または、データデコーダ部８から供給されるＢＥＲもしくは当該ＢＥＲに基づき受信感度検出部１０ａにより検出される受信感度に基づいて、ワンセグ放送からフルセグ放送への切り替えが行われるか否かを判定するようにすることも可能である。
【００２６】
上述の字幕表示制御部１０ｄは、切り替え判定部１０ｅによりワンセグ放送からフルセグ放送への切り替えが行われたと判定された場合は例外的に、字幕表示機能がオンに設定されているかオフに設定されているかによらず、字幕情報をディスプレイ２２に表示させるようにデータデコーダ部８を制御する。
【００２７】
番組形態判定部１０ｆは、データデコーダ部８から制御データとして供給される番組形態情報に基づいて、放送中の番組が収録番組かライブ番組かの番組形態を判定する。上述の字幕表示制御部１０ｄは、ワンセグ放送からフルセグ放送への切り替え時に字幕情報をディスプレイ２２に表示させるようにデータデコーダ部８を制御する際に、番組形態判定部１０ｆにより判定された番組形態に応じて、表示させる字幕情報を決定する。
【００２８】
収録番組の場合、スピーカ２１に出力される音声情報と同じタイミングで、当該音声情報に対応する字幕情報がディスプレイ２２に表示される。これに対して、ライブ放送の場合、スピーカ２１に出力される音声情報に対応する字幕情報は、当該音声情報から数秒遅れてディスプレイ２２に表示される。このように、収録番組かライブ番組かによって、音声情報に対応する字幕情報の表示されるタイミングが異なるので、表示させる字幕情報を番組形態に応じて決定するようにするのが好ましい。
【００２９】
具体的には、字幕表示制御部１０ｄは、番組形態判定部１０ｆにより番組形態が収録番組であると判定された場合、切り替えが行われる前に受信していたワンセグ放送からの字幕情報をディスプレイ２２に表示させるようにデータデコーダ部８を制御する。このとき字幕表示制御部１０ｄは、ワンセグ放送からの字幕情報を所定時間表示させるように制御する。この動作のために、データデコーダ部８は、ワンセグ放送からフルセグ放送に切り替えられた後も、切り替え直前に取得したワンセグ放送の字幕情報を少なくとも所定時間分は記憶して保存しておく必要がある。
【００３０】
また、字幕表示制御部１０ｄは、番組形態判定部１０ｆにより番組形態がライブ放送であると判定された場合、切り替えの後に受信したフルセグ放送からの字幕情報をディスプレイ２２に表示させるようにデータデコーダ部８を制御する。このとき字幕表示制御部１０ｄは、フルセグ放送からの字幕情報を所定時間表示させるように制御する。なお、フルセグ放送の字幕情報を表示させる所定時間は、ワンセグ放送の字幕情報を表示させる所定時間と同じでなくてもよい。
【００３１】
図２〜図４は、ワンセグ放送からフルセグ放送への切り替えが行われる際における字幕表示の動作例を模式的に示す図である。なお、ここでは説明の便宜上、出力される放送内容を１秒単位で区切って示している。また、字幕表示機能はオフに設定されているものとする。また、ワンセグ放送がフルセグ放送に対して１秒遅延しているものとする。
【００３２】
図２（ａ）は、フルセグ放送とワンセグ放送との切り替え状況を示している。この図２（ａ）に示す例では、フルセグ放送を２秒間受信したところで受信状況が悪化し、ワンセグ放送に切り替えられている。このとき、ワンセグ放送がフルセグ放送に対して１秒遅延しているために、フルセグ放送の２秒目の映像および音声と同じ内容がワンセグ放送でも繰り返し出力されている。ただし、映像および音声の欠落が生じているわけではないので、このタイミングで字幕情報の強制表示は行わない。
【００３３】
その後、ワンセグ放送を３秒間受信したところで受信状況が回復し、フルセグ放送に切り替えられている。このとき、フルセグ放送がワンセグ放送よりも１秒進んでいるために、フルセグ放送の５秒目の映像および音声が欠落して出力されないこととなる。この欠落を補完するために、本実施形態ではこのタイミングで字幕情報を強制表示させるようにしている。
【００３４】
図２（ｂ）は、放送中の番組が収録番組である場合における字幕表示の例を示す図である。図２（ｂ）に示すように、番組形態が収録番組である場合、字幕表示制御部１０ｄは、切り替えが行われる前に受信していたワンセグ放送からの字幕情報をディスプレイ２２に所定時間（ここでは２秒）表示させる。字幕情報を所定時間表示させた後は、当該字幕情報を消去し、通常のフルセグ放送の出力に切り替える。
【００３５】
図３は、放送中の番組が収録番組である場合における字幕表示の具体例を示す図である。ここで、図３（ａ）が本実施形態の動作例を示している。また、図３（ｂ）はワンセグ放送の放送状態、図３（ｃ）はフルセグ放送の放送状態を示している。図３（ａ）の例では、クイズ番組を視聴中にワンセグ放送からフルセグ放送への切り替えが行われたときに、「答えは」・・・「次の問題です。」といったように途中が欠落した音声情報「東京スカイツリーです」を、字幕情報の強制表示によって補完している。
【００３６】
図３（ｂ）に示すように、収録番組の場合、音声情報に対応する字幕情報が音声情報と同じタイミングで受信できている。したがって、図３（ａ）に示すように、フルセグ放送に切り替えられる前に受信していたワンセグ放送の字幕情報をフルセグ放送への切り替え後に所定時間表示させることにより、欠落した音声情報を字幕情報の強制表示によって補完することができる。
【００３７】
図２（ｃ）は、放送中の番組がライブ番組である場合における字幕表示の例を示す図である。図２（ｃ）に示すように、番組形態がライブ番組である場合、字幕表示制御部１０ｄは、切り替えの後に受信したフルセグ放送からの字幕情報を所定時間（ここでは２秒）ディスプレイ２２に表示させる。字幕情報を所定時間表示させた後は、当該字幕情報を消去し、通常のフルセグ放送の出力に切り替える。
【００３８】
図４は、放送中の番組がライブ番組である場合における字幕表示の具体例を示す図である。ここで、図４（ａ）が本実施形態の動作例を示している。また、図４（ｂ）はワンセグ放送の放送状態、図４（ｃ）はフルセグ放送の放送状態を示している。図４（ａ）の例では、ニュース番組を視聴中にワンセグ放送からフルセグ放送への切り替えが行われたときに、「東京ドームで行われた」・・・「次のニュースです。」といったように途中が欠落した音声情報「巨人対阪神は３対２で阪神が勝利しました。」を、字幕情報の強制表示によって補完している。
【００３９】
図４（ｃ）に示すように、ライブ番組の場合、音声情報に対応する字幕情報は音声情報から数秒遅れたタイミングで受信される。したがって、図４（ａ）に示すように、切り替えの後に受信したフルセグ放送からの字幕情報を所定時間表示させておけば、欠落した音声情報を字幕情報の強制表示によって補完することができる。
【００４０】
また、字幕表示制御部１０ｄは、番組形態判定部１０ｆにより番組形態が収録番組であると判定された場合、字幕表示機能がオンに設定されているかオフに設定されているかに応じて、字幕情報の表示位置を決定するのが好ましい。もともと字幕表示機能がオンに設定されている場合に、ワンセグ放送からフルセグ放送への切り替え時に字幕情報を強制表示させると、字幕情報の表示に衝突が起きてしまうからである。
【００４１】
図５は、字幕情報の表示位置を説明するための図である。字幕表示制御部１０ｄは、番組形態判定部１０ｆにより番組形態が収録番組であると判定され、かつ、字幕設定判定部１０ｃにより字幕表示機能がオフに設定されていると判定された場合、図５（ａ）に示すように、切り替えが行われる前に受信していたワンセグ放送からの字幕情報を、字幕表示機能がオンのときに字幕情報が表示される所定位置（画面下部）に表示させる。
【００４２】
また、字幕表示制御部１０ｄは、番組形態判定部１０ｆにより番組形態が収録番組であると判定され、かつ、字幕設定判定部１０ｃにより字幕表示機能がオンに設定されていると判定された場合、図５（ｂ）に示すように、切り替えの後に受信したフルセグ放送からの字幕情報を所定位置（画面下部）に表示させるとともに、切り替えが行われる前に受信していたワンセグ放送からの字幕情報を、所定位置と異なる位置（例えば、画面上部）に表示させる。
【００４３】
図６は、上記のように構成した本実施形態による車載用デジタル放送受信装置の動作例を示すフローチャートである。図６に示すフローチャートは、車載用デジタル放送受信装置の電源がオンとされたときに開始する。まず、切り替え判定部１０ｅは、チャンネル切替部１０ｂによってワンセグ放送からフルセグ放送への切り替えが行われたか否かを判定する（ステップＳ１）。
【００４４】
ここで、ワンセグ放送からフルセグ放送への切り替えが行われたと判定した場合、番組形態判定部１０ｆは、データデコーダ部８から制御データとして供給される番組形態情報に基づいて、放送中の番組が収録番組かライブ番組かの番組形態を判定する（ステップＳ２）。放送中の番組が収録番組であった場合、字幕設定判定部１０ｃは、システムメモリ２０に格納されている設定情報に基づいて、字幕表示機能がオフに設定されているか否かを判定する（ステップＳ３）。
【００４５】
字幕表示制御部１０ｄは、ステップＳ２で番組形態判定部１０ｆにより番組形態が収録番組であると判定され、かつ、ステップＳ３で字幕設定判定部１０ｃにより字幕表示機能がオフに設定されていると判定された場合、切り替えが行われる前に受信していたワンセグ放送からの字幕情報をディスプレイ２２の画面下部に表示させる（ステップＳ４）。
【００４６】
一方、字幕表示制御部１０ｄは、ステップＳ２で番組形態判定部１０ｆにより番組形態が収録番組であると判定され、かつ、ステップＳ３で字幕設定判定部１０ｃにより字幕表示機能がオンに設定されていると判定された場合、切り替えの後に受信したフルセグ放送からの字幕情報をディスプレイ２２の画面下部に表示させるとともに、切り替えが行われる前に受信していたワンセグ放送からの字幕情報を画面上部に表示させる（ステップＳ５）。
【００４７】
次に、字幕表示制御部１０ｄは、ステップＳ４またはステップＳ５でワンセグ放送からの字幕情報の強制表示を開始した後、所定時間が経過したか否かを判定し（ステップＳ６）、所定時間が経過した時点でワンセグ放送からの字幕情報の強制表示を終了させる（ステップＳ７）。これにより、図６に示すフローチャートの処理を終了する。
【００４８】
また、ステップＳ２において、番組形態判定部１０ｆにより放送中の番組がライブ番組であると判定された場合、字幕設定判定部１０ｃは、システムメモリ２０に格納されている設定情報に基づいて、字幕表示機能がオフに設定されているか否かを判定する（ステップＳ８）。
【００４９】
字幕表示制御部１０ｄは、ステップＳ２で番組形態判定部１０ｆにより番組形態がライブ番組であると判定され、かつ、ステップＳ８で字幕設定判定部１０ｃにより字幕表示機能がオフに設定されていると判定された場合、切り替えの後に受信したフルセグ放送からの字幕情報をディスプレイ２２の画面下部に表示させる（ステップＳ９）。
【００５０】
一方、字幕表示制御部１０ｄは、ステップＳ２で番組形態判定部１０ｆにより番組形態がライブ番組であると判定され、かつ、ステップＳ８で字幕設定判定部１０ｃにより字幕表示機能がオンに設定されていると判定された場合は、何もせず図６に示すフローチャートの処理を終了する。この場合、特別な処理をしなくても、切り替えの後に受信したフルセグ放送からの字幕情報がディスプレイ２２の画面下部に表示されるので、音声情報の欠落が字幕情報の表示によって補完されることとなる。
【００５１】
字幕表示制御部１０ｄは、ステップＳ９においてフルセグ放送からの字幕情報の強制表示を開始した後、所定時間が経過したか否かを判定し（ステップＳ１０）、所定時間が経過した時点でフルセグ放送からの字幕情報の強制表示を終了する（ステップＳ１１）。これにより、図６に示すフローチャートの処理を終了させる。
【００５２】
以上詳しく説明したように、本実施形態によれば、ワンセグ放送からフルセグ放送への切り替え時に音声情報に欠落が生じても、その音声情報に対応する字幕情報が表示されるので、音声情報の欠落を字幕情報の表示によって補完することができる。しかも、字幕情報の表示はもともと車載用デジタル放送受信装置に備えられた機能であるから、複雑な処理を追加して行う必要もない。つまり、本実施形態によれば、ワンセグ放送からフルセグ放送への切り替えが行われるときに、複雑な処理を行うことなく、フルセグ放送に対して遅延しているワンセグ放送の音声情報の欠落を字幕情報の表示によって補完することができる。
【００５３】
なお、上記実施形態では、ワンセグ放送からフルセグ放送へ切り替えが行われた直後に、字幕情報を所定時間表示させる例について説明したが、本発明はこれに限定されない。例えば、強制表示すべき所定時間分の字幕情報をメモリに保存しておき、後の任意のタイミングでメモリから字幕情報を読み出して表示できるようにしてもよい。
【００５４】
また、上記実施形態では、放送中の番組がライブ番組である場合においてワンセグ放送からフルセグ放送への切り替えが行われたとき、切り替えの後に受信したフルセグ放送からの字幕情報を所定時間ディスプレイ２２に表示させる例について説明したが、本発明はこれに限定されない。図４に示したように、切り替え直前のワンセグ放送で出力されていた音声情報「東京ドームで行われた」と、その後に続く音声情報に対応する字幕情報「巨人対阪神は３対２で阪神が勝利しました。」との間に、余計な字幕情報が表示されている。
【００５５】
そこで、ワンセグ放送からフルセグ放送への切り替えが行われたときに、ワンセグ放送のフルセグ放送に対する遅延時間の間はフルセグ放送からの字幕情報を表示させず、当該遅延時間の経過後にフルセグ放送からの字幕情報を表示させるようにしてもよい。このようにすれば、図４の例において、字幕情報「巨人対阪神は３対２で阪神が勝利しました。」が表示されるタイミングは変わらないものの、その前に余計な字幕情報「東京ドームで行われた」が表示されなくなる。
【００５６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５７】
１０  制御部
１０ｃ  字幕設定判定部
１０ｄ  字幕表示制御部
１０ｅ  切り替え判定部
１０ｆ  番組形態判定部
【図１】
2014003351.tif 000003
【図２】
2014003351.tif 000004
【図３】
2014003351.tif 000005
【図４】
2014003351.tif 000006
【図５】
2014003351.tif 000007
【図６】
2014003351.tif 000008